(57)【要約】【課題】組み立て作業性を向上させた冷却装置及び投影装置を提供する。【解決手段】冷却装置ＣＤは、取付部１０ｃが設けられたケース１０ａ，１０ｂと、取付部１０ｃに配置され、一対の開口部を有するファンケース２６０，２７０，２８０、ファンブレード２６４及びファンモータから成る軸流型ファンと、取付部１０ｃの近傍に設けられ、軸流型ファンが取り付けられた状態において一方の開口部からその内部に向けて所定量突出している突出部１０ｄ２，１０ｆ２，１０ｆ３を備える取付規制部１０ｄ，１０ｆと、を有し、突出部１０ｄ２，１０ｆ２，１０ｆ３の所定量は、ファンケース２６０，２７０，２８０の一方の開口部からファンブレード２６４の突起部１０ｄ２が対応する位置までの距離より短く、ファンケース２６０，２７０，２８０の他方の開口部からファンブレード２６４の突起部１０ｄ２が対応する位置までの距離より長い。【選択図】図５
2019061019.tif 000002
【特許請求の範囲】
【請求項１】
取付部が設けられたケースと、
前記取付部に配置され、一対の開口部を有するファンケース、ファンブレード及びファンモータから成る軸流型ファンと、
前記取付部の近傍に設けられ、前記軸流型ファンが取り付けられた状態において一方の開口部からその内部に向けて所定量突出している突出部を備える取付規制部と、
を有し、
前記突出部の前記所定量は、前記ファンケースの前記一方の開口部からファンブレードの前記突起部が対応する位置までの距離より短く、前記ファンケースの他方の開口部からファンブレードの前記突起部が対応する位置までの距離より長い
ことを特徴とする冷却装置。
【請求項２】
前記突出部は、先端の形状が、前記ケースの取付部の取付方向に傾斜している
ことを特徴とする請求項１に記載の冷却装置。
【請求項３】
前記突出部は、先端の形状が、前記ファンケースの回転軸方向に向けて、円形状に形成されている
ことを特徴とする請求項１又は２に記載の冷却装置。
【請求項４】
前記取付規制部は、前記突出部の反対側に、前記ケースの取付部から前記ファンケースを取り外す取り外し用摘みを有する
ことを特徴とする請求項１乃至３の何れかに記載の冷却装置。
【請求項５】
前記取付規制部は、複数設けられている、及び／または突出部が上下２段で形成されている
ことを特徴とする請求項１乃至４の何れかに記載の冷却装置。
【請求項６】
前記取付規制部は、前記突出部を支持する弾性部を備える
ことを特徴とする請求項１乃至５の何れかに記載の冷却装置。
【請求項７】
前記取付規制部は、前記ケースの取付部と一体として形成される
ことを特徴とする請求項１乃至６の何れかに記載の冷却装置。
【請求項８】
請求項１乃至請求項７の何れかに記載の冷却装置と、
光源光を出射する光源装置と、
を備えることを特徴とする投影装置。
【発明の詳細な説明】
【技術分野】
【０００１】
本発明は、冷却装置及び投影装置に関する。
【背景技術】
【０００２】
今日、パーソナルコンピュータの画面やビデオ画像、さらにメモリカード等に記憶されている画像データによる画像等をスクリーンに投影する画像投影装置として、データプロジェクタが多用されている。このようなプロジェクタは、光源から出射された光をＤＭＤ（デジタル・マイクロミラー・デバイス）と呼ばれるマイクロミラー表示素子や液晶板に集光させ、スクリーン上にカラー画像を表示させる。
【０００３】
プロジェクタは、パーソナルコンピュータやＤＶＤプレーヤーなどの映像機器の普及に伴って、業務用プレゼンテーションから家庭用に至るまで用途が拡大している。このようなプロジェクタは、高輝度の放電ランプを光源とするものが主流であったが、近年、レーザダイオード等の固体発光素子や、その固体発光素子を励起光源とする蛍光板を光源として備えたものが種々開発されている。このような光源や制御用の基板等は、プロジェクタの主な熱源となることから、プロジェクタの内部を冷却するための技術が提案されている。
【０００４】
例えば、特許文献１のプロジェクタは、第一の光源装置に取り付けられる第一のヒートシンクと、第二の光源装置に取り付けられる第二のヒートシンクを備える。また、このプロジェクタは、第一のヒートシンクに冷却風を送風する第一の冷却ファンと、第二のヒートシンクに冷却風を送風する第二の冷却ファンを備える。第一の冷却ファンと第二の冷却ファンは、異なる方向から外気を取り込んで、第一のヒートシンクと第二のヒートシンクの各々に冷却風を送風する。また、第一の光源装置と第二の光源装置の間には、第一のヒートシンクと第二のヒートシンクから夫々放出される冷却風が同一方向に流れるように案内する案内部材が配置される。
【先行技術文献】
【特許文献】
【０００５】
【特許文献１】特開２０１１−７５８９８号公報
【発明の概要】
【発明が解決しようとする課題】
【０００６】
熱源を冷却する冷却ファンには吸気側と排気側があり、熱源を適切に冷却するためには冷却ファンの取付方向が重要となっている。しかしながら、冷却ファンの形状は上下左右が対称の形状となっているため、冷却ファンの前後を入れ替えて逆付してしまうことが懸念される。従って、製品の組立作業性の低下を招くおそれがあった。
【０００７】
本発明は、以上の点に鑑み、組み立て作業性を向上させた冷却装置及び投影装置を提供することを目的とする。
【課題を解決するための手段】
【０００８】
本発明の冷却装置は、取付部が設けられたケースと、前記取付部に配置され、一対の開口部を有するファンケース、ファンブレード及びファンモータから成る軸流型ファンと、前記取付部の近傍に設けられ、前記軸流型ファンが取り付けられた状態において一方の開口部からその内部に向けて所定量突出している突出部を備える取付規制部と、を有し、前記突出部の前記所定量は、前記ファンケースの前記一方の開口部からファンブレードの前記突起部が対応する位置までの距離より短く、前記ファンケースの他方の開口部からファンブレードの前記突起部が対応する位置までの距離より長いことを特徴とする。
【０００９】
本発明の投影装置は、上述の冷却装置と、光源光を出射する光源装置と、を備えることを特徴する。
【発明の効果】
【００１０】
本発明によれば、冷却装置及び投影装置は、組み立て作業性を向上させることができる。
【図面の簡単な説明】
【００１１】
【図１】本発明の第１実施形態に係る投影装置の外観斜視図である。
【図２】本発明の第１実施形態に係る投影装置の機能ブロック図である。
【図３】本発明の第１実施形態に係る投影装置の内部構造を示す平面模式図である。
【図４】本発明の第１実施形態に係る光源装置の平面模式図である。
【図５】（ａ）は、本発明の第１実施形態に係る冷却装置の取付部の斜視図であり、取付規制部が取付部に取り付けられている状態を示す図である。（ｂ）は、本発明の第１実施形態に係る冷却装置の取付部に取り付けられている取付規制部が位置する領域ＲＥ１を拡大した部分拡大図である。（ｃ）は、本発明の第１実施形態に係る冷却装置の取付部に取り付けられている取付規制部を（ａ）のＰから見た平面図である。
【図６】（ａ）は、本発明の第１実施形態に係る冷却装置の吸気ファンケースの斜視図であり、吸気ファンケースが取付部に正しい方向（正方向）で取り付けられた状態を示す図である。（ｂ）は、本発明の第１実施形態に係る冷却装置の吸気ファンケースの斜視図であり、吸気ファンケースが取付部に逆付された状態を示す図である。
【図７】（ａ）は、本発明の第１実施形態に係る取付規制部とファンブレードとの距離の関係を示す断面模式図であり、図６（ａ）のＡ−Ａ断面を示す図である。（ｂ）は、本発明の第１実施形態に係る取付規制部とファンブレードとの距離の関係を示す断面模式図であり、図６（ｂ）のＢ−Ｂ断面を示す図である。
【図８】（ａ）は、本発明の第２実施形態に係る冷却装置の取付部の斜視図であり、取付規制部が取付部に取り付けられている状態を示す図である。（ｂ）は、本発明の第２実施形態に係る冷却装置の取付部の斜視図であり、取付規制部が位置する領域ＲＥ２を拡大した部分拡大図である。
【図９】本発明の第１及び第２実施形態に係る冷却装置が、取付部に夫々３個ずつ取付規制部を備えた例を示した図である。
【発明を実施するための形態】
【００１２】
（第１実施形態）
以下、本発明を実施するための形態について説明する。図１は、投影装置１０の外観斜視図である。本実施形態の投影装置１０は、上ケース１０ａ及び下ケース１０ｂからなるケースを備える。投影装置１０の筐体の側板である正面パネル１２、背面パネル１３、右側パネル１４、及び左側パネル１５は、上ケース１０ａの外周縁から下方に向かって立設する。各パネル１２〜１５の下端は、下ケース１０ｂの外周縁と当接する。したがって、投影装置１０は、上ケース１０ａと下ケース１０ｂにより略直方体状に形成される。なお、本実施形態において、投影装置１０における左右とは投影方向に対しての左右方向を示し、前後とは投影装置１０のスクリーン側方向及び光線束の進行方向に対しての前後方向を示す。
【００１３】
投影装置１０の筐体の上面パネル１１には、キー／インジケータ部３７、投影画像調整部１１ａが設けられる。このキー／インジケータ部３７には、電源スイッチキーや電源のオン又はオフを報知するパワーインジケータ、投影のオン、オフを切りかえる投影スイッチキー、光源装置や表示素子又は制御回路等が過熱した時に報知をする過熱インジケータ等の各種設定を行うためのキーやインジケータが配置されている。投影画像調整部１１ａは、一つ又は複数の回動摘みを備える。この回動摘みを操作することにより、図４で後述する投影側光学系の可動レンズの位置が調節され、投影画像の大きさやピントの調整が行われる。また、投影装置１０は、図示しないが、リモートコントローラからの制御信号を受信するＩｒ受信部を備えている。
【００１４】
正面パネル１２と右側パネル１４の前方右側の角部５０１には、吸気口３１０が設けられる。正面パネル１２の左側には、すり鉢状に窪んだ光出射部１２ａが設けられる。この光出射部１２ａの左側パネル１５側の内壁には、吸気口３２０が形成される。換言すれば、正面パネル１２の前方左側の角部５０２には、吸気口３２０が設けられる。投影装置１０は、光出射部１２ａに、投影口１２ｂと、投影口１２ｂを覆うレンズカバー１９を有する。正面パネル１２の下端には、高さ調整ボタン１２ｃが設けられる。投影装置１０は、正面パネル１２側の内部に支脚を備える。投影装置１０は、高さ調整ボタン１２ｃが押下されている間、下方からその支脚を出没させることができる。よって、使用者は、高さ調整ボタン１２ｃを操作することにより支脚を任意の出代量で固定し、投影装置１０の高さや傾きを調節することができる。
【００１５】
背面パネル１３には、ＵＳＢ端子や画像信号入力用のＤ−ＳＵＢ端子、Ｓ端子、ＲＣＡ端子等を設ける入出力コネクタ部及び電源アダプタプラグ等の各種端子２０が設けられている。また、背面パネル１３において、右側パネル１４側の角部に排気口３３０が形成され、左側パネル１５側の角部にも排気口３４０が形成される。換言すれば、投影装置１０の後方右側の角部５０３に排気口３３０が配置され、後方左側の角部５０４にも排気口３４０が配置される。
【００１６】
次に、投影装置１０の投影装置制御部について図２の機能ブロック図を用いて述べる。投影装置制御部は、制御部３８、入出力インターフェース２２、画像変換部２３、表示エンコーダ２４、表示駆動部２６等から構成される。
【００１７】
制御部３８は、投影装置１０内の各回路の動作制御を司るものであって、ＣＰＵや各種セッティング等の動作プログラムを固定的に記憶したＲＯＭ及びワークメモリとして使用されるＲＡＭ等により構成されている。
【００１８】
そして、この投影装置制御部により、入出力コネクタ部２１から入力された各種規格の画像信号は、入出力インターフェース２２、システムバス（ＳＢ）を介して画像変換部２３で表示に適した所定のフォーマットの画像信号に統一するように変換された後、表示エンコーダ２４に出力される。
【００１９】
表示エンコーダ２４は、入力された画像信号をビデオＲＡＭ２５に展開記憶させた上でこのビデオＲＡＭ２５の記憶内容からビデオ信号を生成して表示駆動部２６に出力する。
【００２０】
表示駆動部２６は、表示エンコーダ２４から出力された画像信号に対応して適宜フレームレートで空間的光変調素子（ＳＯＭ）である表示素子５１を駆動するものである。
【００２１】
投影装置１０は、光源である光源装置６０から出射された光源光の光線束を、後述する導光光学系を介して表示素子５１に照射することにより、表示素子５１の反射光で光像（画像）を形成する。投影装置１０は、その形成した光像を同じく後述する投影側光学系を介してスクリーンに投影し、画像を表示させる。なお、この投影側光学系の可動レンズ群２３５は、レンズモータ４５によりズーム調整やフォーカス調整のための駆動が行われる。
【００２２】
画像圧縮／伸長部３１は、画像信号の輝度信号及び色差信号をＡＤＣＴ及びハフマン符号化等の処理によりデータ圧縮して着脱自在な記録媒体とされるメモリカード３２に順次書き込む記録処理を行う。
【００２３】
また、画像圧縮／伸長部３１は、再生モード時はメモリカード３２に記録された画像データを読み出し、一連の動画を構成する個々の画像データを１フレーム単位で伸長する。そして、画像圧縮／伸長部３１は、その画像データを、画像変換部２３を介して表示エンコーダ２４に出力し、メモリカード３２に記憶された画像データに基づいた動画等を表示する処理を行う。
【００２４】
筐体の上面パネル１１に設けられるメインキー及びインジケータ等により構成されるキー／インジケータ部３７の操作信号は、直接に制御部３８に送出される。リモートコントローラからのキー操作信号は、Ｉｒ受信部３５で受信され、Ｉｒ処理部３６で復調されたコード信号が制御部３８に出力される。
【００２５】
なお、制御部３８にはシステムバス（ＳＢ）を介して音声処理部４７が接続されている。この音声処理部４７は、ＰＣＭ音源等の音源回路を備えており、投影モード及び再生モード時には音データをアナログ化し、スピーカ４８を駆動して拡声放音させる。
【００２６】
また、制御部３８は、光源制御部としての光源制御回路４１を制御している。この光源制御回路４１は、画像生成時に要求される所定波長帯域の光が光源装置６０から出射されるように、光源装置６０の緑色光源装置における励起光照射装置や、赤色光源装置の発光を個別に制御する。光源装置６０から出射された所定の波長帯域の光は、照射ミラー１８５で反射され、表示素子５１に照射される。
【００２７】
制御部３８は、冷却ファン駆動制御回路４３に光源装置６０等に設けた複数の温度センサによる温度検出を行わせ、仕様環境温度外で使用されており、製品に致命的なダメージを与える温度ではないか測定している。また、制御部３８は、投影装置１０の電源をＯＦＦにする指示を受けると、冷却ファン駆動制御回路４３にタイマーを用いて投影装置１０本体の電源ＯＦＦ後も冷却ファンの回転を持続させたり、温度センサによる温度検出の結果に応じて投影装置１０本体の電源を切るタイミングを定める等の制御を行うことができる。
【００２８】
次に、投影装置１０の内部構造について述べる。図３は、投影装置１０の内部構造を示す平面模式図である。投影装置１０は、電源装置３０１、制御回路基板３０２、光源装置６０を備える。また、投影装置１０は、冷却ファンが取り付けられたファンケースとして、吸気ファンケース２６０、中間ファンケース２７０、排気ファンケース２８０を備える。
【００２９】
光源装置６０は、投影装置１０の筐体の略中央に配置される。光源装置６０は、光源ケース６１によって内部にレンズやミラー等の光学部材を収納する。電源装置３０１は、光源装置６０の左側パネル１５側に配置される。電源装置３０１の基板は、左側パネル１５と略平行に配置される。制御回路基板３０２は、光源装置６０の背面パネル１３側に配置される。制御回路基板３０２は、上下方向に対し略垂直に配置される。制御回路基板３０２は、電源回路ブロックや光源制御ブロック等を備える。また、制御回路基板３０２は、電源回路ブロックや光源制御ブロック等の機能毎に分けて、複数備えることができる。
【００３０】
光源装置６０の内部構造について説明する。図４は、光源装置６０の平面模式図である。光源装置６０は、赤色波長帯域光の光源とされる赤色光源装置１２０と、緑色波長帯域光の光源とされる緑色光源装置８０と、青色波長帯域光の光源とされる青色光源装置であると共に励起光源ともされる励起光照射装置７０と、を備える。緑色光源装置８０は、励起光照射装置７０と、蛍光板装置１００と、により構成される。光源装置６０は、導光光学系１４０を有する。導光光学系１４０は、緑色波長帯域光及び青色波長帯域光及び赤色波長帯域光の光線束を合わせて、各色波長帯域の光線束を同一光路上に導光する。
【００３１】
励起光照射装置７０は、投影装置１０筐体の右側パネル１４側に配置される。励起光照射装置７０は、背面パネル１３と光軸が平行になるよう配置された複数の固体発光素子を備える。本実施形態の固体発光素子は、青色波長帯域光を発する青色レーザダイオード７１である。また、青色レーザダイオード７１は、右側パネル１４と平行に配置されている。これら青色レーザダイオード７１は、固定ホルダ７４に固定される。また、励起光照射装置７０は、反射ミラー７６、拡散板７８、ヒートシンク８１、を備える。反射ミラー７６は、各青色レーザダイオード７１からの出射光の光軸を拡散板７８に向けて９０度変換する。拡散板７８は、反射ミラー７６で反射した各青色レーザダイオード７１からの出射光を予め定められた拡散角度で拡散する。ヒートシンク８１は、青色レーザダイオード７１と右側パネル１４（図３参照）との間に配置される。
【００３２】
図４に戻り、各青色レーザダイオード７１からの光路上には、青色レーザダイオード７１からの出射光の指向性を高めて平行光に変換するコリメータレンズ７３が夫々配置されている。これらコリメータレンズ７３は、青色レーザダイオード７１と共に固定ホルダ７４に固定される。
【００３３】
赤色光源装置１２０は、青色レーザダイオード７１の光線束と光軸が平行となるように配置された赤色光源１２１と、赤色光源１２１からの出射光を集光する集光レンズ群１２５と、を備える。この赤色光源１２１は、赤色波長帯域光を発する固体発光素子である赤色発光ダイオードである。赤色光源装置１２０は、赤色光源装置１２０が出射する赤色波長帯域光の光軸が、蛍光板１０１から出射される緑色波長帯域光の光軸と交差するように配置される。また、赤色光源装置１２０は、赤色光源１２１の右側パネル１４側にヒートシンク１３０を備える。
【００３４】
緑色光源装置８０を構成する蛍光板装置１００は、蛍光板１０１、モータ１１０、入射側の集光レンズ群１１７、出射側の集光レンズ１１５、を備える。蛍光板１０１は、励起光照射装置７０からの出射光の光軸と直交するように配置された蛍光ホイールである。この蛍光板１０１はモータ１１０により回転駆動する。集光レンズ群１１７は、励起光照射装置７０から出射される励起光の光線束を蛍光板１０１に集光する。集光レンズ１１５は、蛍光板１０１から正面パネル１２方向に出射される光線束を集光する。なお、蛍光板１０１の一部は、集光レンズ群１１７及び集光レンズ１１５の上方に位置される。そのため、蛍光板１０１の下方の一部が集光レンズ群１１７と集光レンズ１１５の光路上に配置される。
【００３５】
蛍光板１０１には、蛍光発光領域と拡散透過領域とが周方向に並設されている。蛍光発光領域は、青色レーザダイオード７１から出射された青色波長帯域光を励起光として受けて、励起された緑色波長帯域の蛍光光を出射する。拡散透過領域は、青色レーザダイオード７１からの出射光を拡散透過する。拡散透過した出射光は、光源装置６０の青色波長帯域光として出射される。
【００３６】
導光光学系１４０は、第一ダイクロイックミラー１４１、集光レンズ１４９、第二ダイクロイックミラー１４８、第一反射ミラー１４３、集光レンズ１４６、第二反射ミラー１４５、集光レンズ１４７を有する。第一ダイクロイックミラー１４１は、励起光照射装置７０から出射される青色波長帯域光及び蛍光板１０１から出射される緑色波長帯域光と、赤色光源装置１２０から出射される赤色波長帯域光とが交差する位置に配置される。第一ダイクロイックミラー１４１は、青色波長帯域光及び赤色波長帯域光を透過し、緑色波長帯域光を反射する。第一ダイクロイックミラー１４１で反射した緑色波長帯域光の光軸は、集光レンズ１４９に向かう左側パネル１５方向に９０度変換される。したがって、第一ダイクロイックミラー１４１を透過した赤色波長帯域光の光軸は、第一ダイクロイックミラー１４１により反射された緑色波長帯域光の光軸と一致する。
【００３７】
集光レンズ１４９は、第一ダイクロイックミラー１４１の左側パネル１５側に配置される。第一ダイクロイックミラー１４１を透過した赤色波長帯域光及び第一ダイクロイックミラー１４１により反射された緑色波長帯域光は、共に集光レンズ１４９に入射する。第二ダイクロイックミラー１４８は、集光レンズ１４９の左側パネル１５側であって、集光レンズ１４７の背面パネル１３側に配置される。第二ダイクロイックミラー１４８は、赤色波長帯域光及び緑色波長帯域光を反射し、青色波長帯域光を透過する。したがって、集光レンズ１４９で集光された赤色波長帯域光及び緑色波長帯域光は、第二ダイクロイックミラー１４８によって反射されて、背面パネル１３側に９０度変換される。第二ダイクロイックミラー１４８の背面パネル１３側には、集光レンズ１７３が配置される。第二ダイクロイックミラー１４８により反射された赤色波長帯域光及び緑色波長帯域光は、集光レンズ１７３に入射する。
【００３８】
第一反射ミラー１４３は、蛍光板１０１を透過した青色波長帯域光の光軸上、つまり、集光レンズ１１５と正面パネル１２との間に配置される。第一反射ミラー１４３は、青色波長帯域光を反射して、この青色波長帯域光の光軸を左側パネル１５方向に９０度変換する。集光レンズ１４６は、第一反射ミラー１４３の左側パネル１５側に配置される。また、第二反射ミラー１４５は、集光レンズ１４６の左側パネル１５側に配置される。第二反射ミラー１４５は、第一反射ミラー１４３により反射されて、集光レンズ１４６により集光された青色波長帯域光の光軸を、背面パネル１３側に９０度変換する。集光レンズ１４７は、第二反射ミラー１４５の背面パネル１３側に配置される。第二反射ミラー１４５により反射された青色波長帯域光は、集光レンズ１４７を介して第二ダイクロイックミラー１４８を透過し、集光レンズ１７３に入射する。このようにして、導光光学系１４０により導光された赤色、緑色、青色の各波長帯域光の光線束は、光源側光学系１７０の同一光路上に導光される。
【００３９】
光源側光学系１７０は、集光レンズ１７３、ライトトンネル１７５、集光レンズ１７８、光軸変換ミラー１７９、集光レンズ１８３、照射ミラー１８５、コンデンサレンズ１９５を備える。なお、コンデンサレンズ１９５は、コンデンサレンズ１９５の背面パネル１３側に配置される表示素子５１から出射された画像光を、投影側光学系２２０に向けて出射するため、投影側光学系２２０の一部でもある。
【００４０】
集光レンズ１７３から出射した各光線束は、ライトトンネル１７５に入射する。ライトトンネル１７５に入射される各光線束は、ライトトンネル１７５により均一な強度分布の光線束とされる。
【００４１】
ライトトンネル１７５の背面パネル１３側の光軸上には、集光レンズ１７８を介して、光軸変換ミラー１７９が配置されている。ライトトンネル１７５の出射口から出射した光線束は、集光レンズ１７８で集光された後、光軸変換ミラー１７９により、集光レンズ１８３に向かう光軸に変換される。
【００４２】
光軸変換ミラー１７９で反射した光線束は、集光レンズ１８３により集光された後、照射ミラー１８５により、コンデンサレンズ１９５を介して表示素子５１に所定の角度で照射される。なお、背面パネル１３側にはヒートシンク１９０が設けられている。ＤＭＤとされる表示素子５１は、このヒートシンク１９０により冷却される。また、ヒートシンク１９０の後方に形成されたフィン１９１の板面は、上下方向に対して垂直に形成される。
【００４３】
光源側光学系１７０により表示素子５１の画像形成面に照射された光源光である光線束は、表示素子５１の画像形成面で反射され、投影光として投影側光学系２２０を介してスクリーンに投影される。
【００４４】
投影側光学系２２０は、コンデンサレンズ１９５、可動レンズ群２３５、固定レンズ群２２５により構成される。固定レンズ群２２５は、固定鏡筒に内蔵される。可動レンズ群２３５は、可動鏡筒に内蔵され、手動又は自動により移動されることにより、ズーム調整やフォーカス調整を可能としている。
【００４５】
このように投影装置１０を構成することで、蛍光板１０１を回転させると共に励起光照射装置７０及び赤色光源装置１２０から異なるタイミングで光を出射すると、赤色、緑色及び青色の各波長帯域光が導光光学系１４０を介してライトトンネル１７５に入射され、さらに光源側光学系１７０を介して表示素子５１に入射される。よって、投影装置１０の表示素子５１であるＤＭＤがデータに応じて各色の光を時分割表示することにより、スクリーンにカラー画像を投影することができる。
【００４６】
図３に戻り、吸気ファンケース２６０は、前方右側の角部５０１において、上ケース１０ａ（図１参照）の内壁に近接して、吸気口３１０の内側に配置される。吸気ファンケース２６０は、吸気側２６１である前面２６０ａ（図６（ａ）、図７（ａ）、（ｂ）参照）を吸気口３１０に向けると共に、排気側２６２である後面２６０ｂ（図６（ｂ）、図７（ａ）、（ｂ）参照）を投影装置１０の略中央に向けて、斜めに傾けて配置される。このように、吸気ファンケース２６０は、下ケース１０ｂの取付部に取り付けられる。
【００４７】
図５（ａ）乃至（ｃ）は、吸気ファンケース２６０（図６（ａ）、（ｂ）参照）を下ケース１０ｂに取り付けるための取付部１０ｃの斜視図である。取付部１０ｃは、図５（ａ）に示すように、吸気ファンケース２６０が載置される上面側に、取付規制部１０ｄが設けられる。取付部１０ｃは、吸気ファンケース２６０を載置する載置部１０ｃ１と、吸気ファンケース２６０を側方から支持する複数の支持板１０ｃ２を備えている。載置部１０ｃ１は、吸気ファンケース２６０の土台を形成し、載置される吸気ファンケース２６０の底面の外枠と一致するように形成される。載置部１０ｃ１は、内部の領域が３つに分割され、上面が開口された略直方体状に形成される。従って、載置部１０ｃ１の上面は、枠状に形成される。支持板１０ｃ２は、載置部１０ｃ１の周囲に、下ケース１０ｂから柱状に、複数立設されている。
【００４８】
取付部１０ｃには、図５（ｂ）の領域ＲＥ１の拡大図にも示すように、取付規制部１０ｄが設けられる。取付規制部１０ｄは、載置部１０ｃ１の外側の上面における長手方向の略中央に、載置部１０ｃ１の上面から立設する平板状の弾性部１０ｄ１と、吸気ファンケース２６０におけるファンブレード２６４（図６（ａ）、（ｂ）参照）の前面側（正方向）に突出した平板状の突出部１０ｄ２とを備えている。取付規制部１０ｄは、突出部１０ｄ２の反対側（即ち、吸気ファンケース２６０の前面２６０ａと反対側）に平板状の取り外し用摘み１０ｄ３を有している。
【００４９】
弾性部１０ｄ１の板厚方向は、取り付けられる吸気ファンケース２６０のファンブレード２６４の回転軸方向と一致する。突出部１０ｄ２及び取り外し用摘み１０ｄ３は連続して形成され、板厚方向が吸気ファンケース２６０の回転方向と直交する。このようにして、取付規制部１０ｄは、側面視略Ｔ字型に形成される。
【００５０】
取付規制部１０ｄの突出部１０ｄ２の先端には、下方に傾斜するよう傾斜する傾斜面Ｓが形成される。更に、図５（ｃ）に示すように、取付規制部１０ｄにおける傾斜面Ｓが形成される突出部１０ｄ２の先端の形状は、円形状に形成されている。このようにして、突出部１０ｄ２及び取り外し用摘み１０ｄ３は、弾性部１０ｄ１に支持される。
【００５１】
次に、取付部１０ｃに取り付けられる吸気ファンケース２６０について、図６（ａ）、（ｂ）を用いて、説明する。吸気ファンケース２６０は、図６（ａ）に示すように、下ケース１０ｂの取付部１０ｃの載置部１０ｃ１に載置して設けられる。吸気ファンケース２６０は、回転可能に設けられた軸流型のファンブレード２６４が取り付けられたファンケースである。一般に、吸気ファンケース２６０は、略正方形とされる前面２６０ａ及び後面２６０ｂを備えて、略直方体として形成される。ファンブレード２６４は、軸流回転ファンとして形成され、吸気ファンケース２６０の前面２６０ａと後面２６０ｂの間に配置される。吸気ファンケース２６０は、ファンブレード２６４が前面２６０ａよりも後面２６０ｂ側にオフセットして配置されている。吸気ファンケース２６０は、ファンブレード２６４が回転すると、前面２６０ａから後面２６０ｂに空気が流れるように形成されている。
【００５２】
このオフセット量は、本実施形態では、吸気ファンケース２６０の前面２６０ａからファンブレード２６４までの距離は、約１０［ｍｍ］（図７（ａ）の距離Ｗ１）であり、後面２６０ｂからファンブレード２６４までの距離は、約２［ｍｍ］（図７（ｂ）の距離Ｗ２）とされる。
【００５３】
吸気ファンケース２６０の取付部１０ｃへの取付は、吸気ファンケース２６０の底面を載置部１０ｃ１に載置するように、取付部１０ｃの上方から挿入する。このとき、吸気ファンケース２６０の底面の縁部近傍が、取付規制部１０ｄにおける突出部１０ｄ２の上面に当接する。取付規制部１０ｄの突出部１０ｄ２は下方向に撓みながら、取付規制部１０ｄの弾性部１０ｄ１は外側に撓み、その後、吸気ファンケース２６０の底面は、取付規制部１０ｄの突出部１０ｄ２に形成された傾斜面Ｓに当接する。この当接により、取付規制部１０ｄの弾性部１０ｄ１は外側に撓んだまま、吸気ファンケース２６０の底面の終端近傍が取付規制部１０ｄの傾斜面Ｓに倣って下降して、吸気ファンケース２６０の底面と突出部１０ｄ２の上面の当接が解除された後、吸気ファンケース２６０が取付部１０ｃに載置される。
【００５４】
ここで、吸気ファンケース２６０が取付部１０ｃに正しく取り付けられた場合には、図６（ａ）に示すように、吸気側２６１である前面２６０ａが外側に向けて配置される。このとき、図７（ａ）で示すように、取付規制部１０ｄの突出部１０ｄ２の先端とファンブレード２６４とは、十分離間されている。
【００５５】
しかしながら、吸気ファンケース２６０を取付部１０ｃに挿入する際、誤って吸気ファンケース２６０の前後方向を逆にして取付部１０ｃに取付けた場合、図６（ｂ）に示すように、排気側２６２である後面２６０ｂが外側に向かって配置される。このとき、図７（ｂ）で示すように、ファンブレード２６４の回転位置によっては、突出部１０ｄ２がファンブレード２６４に当接する。当接すると、ファンブレード２６４の回転が規制されるため、容易に吸気ファンケース２６０を有する軸流型ファンの取付ミスを認識することができる。
【００５６】
即ち、取付規制部１０ｄは、吸気ファンケース２６０の前面２６０ａに対応する位置からの長さが、吸気ファンケース２６０の後面２６０ｂからファンブレード２６４までの距離Ｗ２よりも長く、吸気ファンケース２６０の前面２６０ａからファンブレード２６４までの距離Ｗ１よりも短くなるように形成される。具体的には、突出部１０ｄ２の吸気ファンケース２６０の前面２６０ａからの長さが、ファンブレード２６４の回転軸方向に、２［ｍｍ］よりも長く、１０［ｍｍ］よりも短くなるように形成される。これにより、取付規制部１０ｄは、吸気ファンケース２６０を取付部１０ｃに逆付した場合、取付規制部１０ｄの突出部１０ｄ２の先端とファンブレード２６４とが当接するよう形成されている。
【００５７】
なお、上記実施形態は、吸気ファンケース２６０について説明したが、投影装置１０に設けられる他の冷却ファンケース（中間ファンケース２７０、排気ファンケース２８０）の取付部に上記の取付規制部１０ｄと同様の取付規制部を設けることができる。
【００５８】
以上説明したように、本実施形態によれば、投影装置１０は、吸気ファンケース２６０と取付部１０ｃを備える冷却装置ＣＤを有する。具体的には、この冷却装置ＣＤは、ケース（上ケース１０ａ,下ケース１０ｂ）と、取付部１０ｃに配置され、一対の開口部を有するファンケース２６０、ファンブレード２６４、及び図示しないファンモータから成る軸流型ファンと、取付部１０ｃの近傍に設けられ、軸流型ファンが取り付けられた状態において一方の開口部からその内部に向けて所定量突出している突出部１０ｄ２を備える取付規制部１０ｄと、を有する。突出部１０ｄ２の所定量は、ファンケース２６０の一方の開口部からファンブレード２６４の突起部１０ｄ２が対応する位置までの距離より短く、ファンケース２６０の他方の開口部からファンブレード２６４の突起部１０ｄ２が対応する位置までの距離より長い。即ち、取付規制部１０ｄは、吸気ファンケース２６０の前面２６０ａからの長さが、吸気ファンケース２６０の後面２６０ｂからファンブレード２６４までの距離Ｗ２よりも長く、吸気ファンケース２６０の前面２６０ａからファンブレード２６４までの距離Ｗ１よりも短くなるように形成されている。
【００５９】
これにより、吸気ファンケース２６０を取付部１０ｃに逆付した場合、出荷検査時に投影装置１０の吸気ファンケース２６０を駆動すると瞬間に、ファンブレード２６４が取付規制部１０ｄの突出部１０ｄ２と接触して干渉する。従って、吸気ファンケース２６０が取付部１０ｃに逆付された場合、冷却装置ＣＤは、吸気ファンケース２６０が逆付された投影装置１０を即座に検出することができる。これにより、冷却装置ＣＤ及び投影装置１０は、製品の組み立て作業性を向上させることができる。
【００６０】
また、取付規制部１０ｄには、吸気ファンケース２６０を取付部１０ｃから取り外すための取り外し用摘み１０ｄ３が設けられている。吸気ファンケース２６０が取付部１０ｃに逆付された場合、取り外し用摘み１０ｄ３は、押下されることにより突出部１０ｄ２を取付部１０ｃから解除して、吸気ファンケース２６０を取付部１０ｃから取り外すことができる。これにより、取付規制部１０ｄは、逆付された吸気ファンケース２６０を取付部１０ｃから取り外すことができると共に、吸気ファンケース２６０を取付部１０ｃに正方向に取り付け直すことができる。
【００６１】
また、本実施形態では、取付規制部１０ｄは、突出部１０ｄ２の先端の形状が、下ケース１０ｂの取付部１０ｃの取付方向に傾斜する傾斜面Ｓを有している。これにより、吸気ファンケース２６０を取付部１０ｃに取り付ける際、取付規制部１０ｄが弾性部１０ｄ１により撓みながら、この傾斜面Ｓによって吸気ファンケース２６０を取付部１０ｃに導くことができ、スムーズに取り付けることができる。
【００６２】
更に、本実施形態では、取付規制部１０ｄは、突出部１０ｄ２の傾斜面Ｓの先端の形状が、吸気ファンケース２６０の回転軸方向に向けて、円形状に形成されている。これにより、取付規制部１０ｄは、吸気ファンケース２６０のファンブレード２６４から出力される送風による風切音を低減することができ、騒音対策もすることができる。
【００６３】
（第２実施形態）
図８は、本発明の第２実施形態として、上記の第１実施形態における取付規制部１０ｄに代えて、突出部が上下２段で形成された取付規制部１０ｆを示した説明図である。なお、第１実施形態と同じ部材や箇所には同じ符号を付して、その説明は省略又は簡略化する。
【００６４】
取付規制部１０ｆは、図８（ａ）及び図８（ｂ）の領域ＲＥ２に示すように、載置部１０ｃ１の上面から板状の第１弾性部１０ｆ１−１が立設する。第１弾性部１０ｆ１−１からは、載置される吸気ファンケース２６０に向けて、板状の突出部１０ｆ２が突出して形成される。突出部１０ｆ２の反対側には、取り外し用摘み１０ｄ３が設けられる。そして、第１弾性部１０ｆ１−１に対応する、突出部１０ｆ２及び取り外し用摘み１０ｄ３の上面からは、板状の第２弾性部１０ｆ１−２が形成される。第２弾性部１０ｆ１−２の上端からは、吸気ファンケース２６０に向けて、突出部１０ｆ３が形成される。このようにして、突出部１０ｆ２，１０ｆ３及び取り外し用摘み１０ｄ３は、第１弾性部１０ｆ１−１及び第２弾性部１０ｆ１−２により支持される。
【００６５】
また、突出部１０ｆ２は、突出部１０ｄ２と同様の傾斜面Ｓを備えているが、突出部１０ｆ３は、傾斜面Ｓとは異なる傾斜面Ｔを備えている。傾斜面Ｔは、傾斜面Ｓと同一の傾斜角であるが、傾斜面Ｓは、突出部１０ｄ２，１０ｆ２の先端の一部が傾斜するようになっている。一方、傾斜面Ｔは、突出部１０ｆ３の先端の全部が傾斜面を形成するようになっている。
【００６６】
第２実施形態の場合、下ケース１０ｂから上ケース１０ａに向けて、第１実施形態の取付規制部１０ｄよりも１段多く突出部１０ｆ３を備えているため、吸気ファンケース２６０が逆付された場合、上下２段の突出部１０ｆ２，１０ｆ３で検出することができる。即ち、吸気ファンケース２６０を駆動する瞬間に、突出部１０ｆ２，１０ｆ３の２つの突出部のうち、何れか一方の突出部がファンブレード２６４と接触しない場合であっても、もう一方の突出部がファンブレード２６４と接触し干渉することができる。
【００６７】
このように、第２実施形態の取付規制部１０ｆによれば、冷却装置ＣＤは、出荷検査において上下２段の突出部１０ｆ２，１０ｆ３でファンブレード２６４と接触し干渉することができるので、吸気ファンケース２６０が逆付された投影装置１０を、より確実に検出することができる。
【００６８】
また、突出部１０ｆ２，１０ｆ３は、夫々傾斜面Ｓ，Ｔを備えているため、突出部１０ｆ２，１０ｆ３の夫々が風切音を軽減し、騒音対策をすることができる。
【００６９】
（各実施形態の変形例）
次に、本発明の第１実施形態及び第２実施形態の変形例について説明する。この変形例では、第１実施形態の取付規制部１０ｄ及び第２実施形態の取付規制部１０ｆを、夫々複数個配置する場合について説明する。なお、第１実施形態と同じ部材や箇所には同じ符号を付して、その説明は省略又は簡略化する。
【００７０】
図９に示すように、図９（ａ）では、取付部１０ｃの載置部１０ｃ１の外側の上面における長手方向に沿って取付規制部１０ｄを３個配置した場合を示しており、図９（ｂ）では、同様に、取付規制部１０ｆを３個配置した場合を示している。
【００７１】
このように、取付規制部１０ｄ，取付規制部１０ｆは、夫々複数個配置することができる。従って、図９（ａ）又は図９（ｂ）に示すように、３個の取付規制部１０ｄにより３個の突出部１０ｄ２、又は３個の取付規制部１０ｆにより６個の突出部１０ｆ２，１０ｆ３で、ファンブレード２６４と接触して干渉することができるので、吸気ファンケース２６０が逆付された投影装置１０を、容易にかつ確実に検出することができる。
【００７２】
また、本発明の第１実施形態及び第２実施形態では、取付規制部１０ｄ，１０ｆは、ケース（上ケース１０ａ，下ケース１０ｂ）の取付部１０ｃと一体として形成されている。これにより、ケースを樹脂材料による射出成型で成形すれば、ケースの加工と同時に、取付規制部１０ｄ，１０ｆを形成することができる。
【００７３】
上述したように、本発明に係る本実施形態によれば、冷却装置ＣＤは、ケース（上ケース１０ａ,下ケース１０ｂ）と、回転可能に設けられる軸流型の吸気ファンが取り付けられた吸気ファンケース２６０と、ケースに設けられ、吸気ファンケース２６０が取り付けられる取付部１０ｃと、取付部１０ｃに設けられ、吸気ファンケース２６０に向けて突出する突出部１０ｄ２，１０ｆ２，１０ｆ３を備える取付規制部１０ｄ，取付規制部１０ｆと、を備えている。取付規制部１０ｄ，１０ｆは、吸気ファンケース２６０の前面２６０ａからの長さが、吸気ファンケース２６０の後面２６０ｂからファンブレード２６４までの距離Ｗ２よりも長く、吸気ファンケース２６０の前面２６０ａからファンブレード２６４までの距離Ｗ１よりも短くなるように形成されている。
【００７４】
これにより、冷却装置ＣＤは、出荷検査時に投影装置１０の吸気ファンケース２６０を駆動すると瞬間に、ファンブレード２６４が取付規制部１０ｄ，１０ｆの突出部１０ｄ２,１０ｆ２，１０ｆ３と接触して干渉し、吸気ファンケース２６０が逆付された投影装置１０を即座に検出することができる。これにより、冷却装置ＣＤ及び投影装置１０は、製品の組み立て作業性を向上させることができる。
【００７５】
また、取付規制部１０ｄ，１０ｆは、突出部１０ｄ２，１０ｆ２，１０ｆ３の先端の形状が、下ケース１０ｂの取付部１０ｃの取付方向に傾斜する傾斜面Ｓ，Ｔを有している。これにより、吸気ファンケース２６０を取付部１０ｃに取り付ける際、取付規制部１０ｄが弾性部１０ｄ１により撓みながら、この傾斜面Ｓ，Ｔによって吸気ファンケース２６０を取付部１０ｃ部に導くことができ、スムーズに取り付けることができる。
【００７６】
また、取付規制部１０ｄ，１０ｆは、突出部１０ｄ２，１０ｆ２，１０ｆ３の傾斜面Ｓ，Ｔの先端の形状が、吸気ファンケース２６０の回転軸方向に向けて、円形状に形成されている。これにより、取付規制部１０ｄ，１０ｆは、吸気ファンケース２６０のファンブレード２６４から出力される送風による風切音を低減することができ、騒音対策もすることができる。
【００７７】
また、取付規制部１０ｄ，１０ｆは、突出部１０ｄ２，１０ｆ２，１０ｆ３の反対側に、ケースの取付部１０ｃから吸気ファンケース２６０を取り外すための取り外し用摘み１０ｄ３が設けられている。取り外し用摘み１０ｄ３は、押下されることにより突出部１０ｄ２，１０ｆ２,１０ｆ３を取付部１０ｃから解除して、吸気ファンケース２６０を取付部１０ｃから取り外すことができる。
【００７８】
また、取付規制部１０ｆは、突出部１０ｆ２，１０ｆ３が上下２段で形成されている。これにより、吸気ファンケース２６０を駆動する瞬間に、突出部１０ｆ２，１０ｆ３の２つの突出部のうち、何れか一方の突出部がファンブレード２６４と接触しない場合であっても、もう一方の突出部がファンブレード２６４と接触し干渉することができる。
【００７９】
また、取付規制部１０ｄ，１０ｆは、突出部１０ｄ２，１０ｆ２，１０ｆ３を支持する、弾性部１０ｄ１，１０ｆ１−１, １０ｆ１−２を備えている。これにより、取付規制部１０ｄ，１０ｆは、外側に撓みながら、取付規制部１０ｄ，１０ｆの傾斜面Ｓ，Ｔに倣って下降し、吸気ファンケース２６０を取付部１０ｃに載置することができる。
【００８０】
また、取付規制部１０ｄ，１０ｆは、ケース（上ケース１０ａ，下ケース１０ｂ）の取付部１０ｃと一体として形成されている。これにより、ケースを樹脂材料による射出成型で成形すれば、ケースの加工と同時に、取付規制部１０ｄ，１０ｆを形成することができる。
【００８１】
また、上述した冷却装置ＣＤと、光源光を出射する光源装置６０と、を備える投影装置１０を構成することができる。これにより、投影装置１０は、光源装置６０に設けられる吸気ファンケース２６０の逆付を検出することができる。
【００８２】
また、以上説明した実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【００８３】
例えば、本発明の第１実施形態及び第２実施形態では、下ケース１０ｂの取付部１０ｃの載置部１０ｃ１に取付規制部１０ｄ，１０ｆが取り付けられていたが、これに限定されるものではない。例えば、取付規制部１０ｄ，１０ｆは、吸気ファンケース２６０の周辺に設けられる上下方向に延伸する複数の支持板１０ｃ２の何れかに設けられていればよく、吸気ファンケース２６０のファンブレード２６４と接触し干渉できる位置であれば、取付規制部１０ｄ,１０ｆの位置は、限定されるものではない。
【００８４】
また、取付規制部１０ｄ，１０ｆは、下ケース１０ｂの取付部１０ｃと一体として形成されるようになっていた。本発明の実施形態は、これに限定されるものではない。例えば、取付規制部１０ｄ，１０ｆは、別体で形成されていても良い。
【００８５】
また、本発明の第１実施形態及び第２実施形態の変形例において、３個の取付規制部１０ｄ、１０ｆが配置されるようになっていたが、取付部１０ｃに配置される複数個の取付規制部は同一形状の取付規制部に限定されるものではない。即ち、異なる形状の取付規制部を組み合わせて複数個配置することもできる。この場合、例えば、取付規制部１０ｄと取付規制部１０ｆを組み合わせ、複数個の取付規制部１０ｄ，１０ｆを備える取付部１０ｃを形成してもよく、ファンブレード２６４の形状や種類に合わせ、異なる取付規制部の形状や異なる取付規制部の長さを備える取付部１０ｃを形成するようにしてもよい。
【００８６】
以下に、本願出願の最初の特許請求の範囲に記載された発明を付記する。
［１］  取付部が設けられたケースと、
前記取付部に配置され、一対の開口部を有するファンケース、ファンブレード及びファンモータから成る軸流型ファンと、
前記取付部の近傍に設けられ、前記軸流型ファンが取り付けられた状態において一方の開口部からその内部に向けて所定量突出している突出部を備える取付規制部と、
を有し、
前記突出部の前記所定量は、前記ファンケースの前記一方の開口部からファンブレードの前記突起部が対応する位置までの距離より短く、前記ファンケースの他方の開口部からファンブレードの前記突起部が対応する位置までの距離より長い
ことを特徴とする冷却装置。
［２］  前記突出部は、先端の形状が、前記ケースの取付部の取付方向に傾斜している
ことを特徴とする前記［１］に記載の冷却装置。
［３］  前記突出部は、先端の形状が、前記ファンケースの回転軸方向に向けて、円形状に形成されている
ことを特徴とする前記［１］又は前記［２］に記載の冷却装置。
［４］  前記取付規制部は、前記突出部の反対側に、前記ケースの取付部から前記ファンケースを取り外す取り外し用摘みを有する
ことを特徴とする前記［１］乃至前記［３］の何れかに記載の冷却装置。
［５］  前記取付規制部は、複数設けられている、及び／または突出部が上下２段で形成されている
ことを特徴とする前記［１］乃至前記［４］の何れかに記載の冷却装置。
［６］  前記取付規制部は、前記突出部を支持する弾性部を備える
ことを特徴とする前記［１］乃至前記［５］の何れかに記載の冷却装置。
［７］  前記取付規制部は、前記ケースの取付部と一体として形成される
ことを特徴とする前記［１］乃至前記［６］の何れかに記載の冷却装置。
［８］  前記［１］乃至前記［７］の何れかに記載の冷却装置と、
光源光を出射する光源装置と、
を備えることを特徴とする投影装置。
【符号の説明】
【００８７】
１０    投影装置                           １０ａ  上ケース
１０ｂ  下ケース                           １０ｃ  取付部
１０ｃ１  載置部                           １０ｃ２  支持板
１０ｄ  取付規制部                         １０ｄ１  弾性部
１０ｄ２  突出部                           １０ｄ３  取り外し用摘み
１０ｆ  取付規制部                         １０ｆ１−１，１０ｆ１−２  弾性部
１０ｆ２，１０ｆ３  突出部                 １１  上面パネル
１１ａ  投影画像調整部                     １２  正面パネル
１２ａ  光出射部                           １２ｂ  投影口
１２ｃ  高さ調整ボタン                     １３  背面パネル
１４  右側パネル                           １５  左側パネル
１９  レンズカバー                         ２０  端子
２１  入出力コネクタ部
２２  入出力インターフェース               ２３  画像変換部
２４  表示エンコーダ                       ２５  ビデオＲＡＭ
２６  表示駆動部                           ３１  画像圧縮／伸長部
３２  メモリカード                         ３５  Ｉｒ受信部
３６  Ｉｒ処理部                           ３７  キー／インジケータ部
３８  制御部                               ４１  光源制御回路
４３  冷却ファンケース駆動制御回路         ４５  レンズモータ
４７  音声処理部                           ４８  スピーカ
５１  表示素子                             ６０  光源装置
６１  光源ケース                           ６２  流入口
６３  流出口
７０  励起光照射装置                       ７１  青色レーザダイオード
７３  コリメータレンズ                     ７４  固定ホルダ
７６  反射ミラー                           ７８  拡散板
８０  緑色光源装置                         ８１  ヒートシンク
１００  蛍光板装置                         １０１  蛍光板
１１０  モータ                             １１５  集光レンズ
１１７  集光レンズ群                       １２０  赤色光源装置
１２１  赤色光源                           １２５  集光レンズ群
１３０  ヒートシンク                       １３１  フィン
１４０  導光光学系                         １４１  第一ダイクロイックミラー
１４３  第一反射ミラー                     １４５  第二反射ミラー
１４６  集光レンズ                         １４７  集光レンズ
１４８  第二ダイクロイックミラー           １４９  集光レンズ
１７０  光源側光学系
１７３  集光レンズ                         １７５  ライトトンネル
１７８  集光レンズ                         １７９  光軸変換ミラー
１８３  集光レンズ                         １８５  照射ミラー
１９０  ヒートシンク                       １９１  フィン
１９５  コンデンサレンズ                   ２２０  投影側光学系
２２５  固定レンズ群                       ２３５  可動レンズ群
２６０  吸気ファン                        ２６１  吸気側                        ２６２  排気側                            ２６３  側面側                        ２６４  ファンブレード                     ２７０  中間ファン
２８０  排気ファン                         ３０１  電源装置
３０２  制御回路基板                       ３１０  吸気口
３２０  吸気口
３３０  排気口                             ３４０  排気口
５０１〜５０４  角部
【図１】
2019061019.tif 000003
【図２】
2019061019.tif 000004
【図３】
2019061019.tif 000005
【図４】
2019061019.tif 000006
【図５】
2019061019.tif 000007
【図６】
2019061019.tif 000008
【図７】
2019061019.tif 000009
【図８】
2019061019.tif 000010
【図９】
2019061019.tif 000011